(57)【要約】【課題】Ｂｌｕｅｔｏｏｔｈの音声通信中における音声品質の維持と消費電力の節減を図る。【解決手段】Ｂｌｕｅｔｏｏｔｈ搭載機器間で音声通信を行う場合、先ずＨＶ３パケットモードにより通信を開始し、受信側で受信感度検知機能により受信感度を検知する。所定の受信感度が得られない場合は、受信感度通知手段がＢｌｕｅｔｏｏｔｈモジュールを通じて送信側へＨＶパケットモード変更要求を送信する。送信側の受信感度変更手段は、変更要求に応じてＨＶパケットモードをＨＶ２または　ＨＶ１へ変更し、次のパケットからは変更したＨＶパケットモードにて送信する。受信感度の変動に対応して適切なモードを選択することにより、受信感度の変動による音声品質の低下を防止できるとともに電力消費を節約できる。【選択図】　図１
2004072535.tif 000002
【特許請求の範囲】
【請求項１】
Ｂｌｕｅｔｏｏｔｈ音声通信において、受信感度検知手段により受信感度を検知し、受信感度に応じて送信側へＨＶパケットモード変更コマンドを通知し、送信側がＨＶパケットモード変更コマンドに応じてＨＶパケットモードを変更することにより、逐次受信感度に対して適切なＨＶパケットモードを選択して音声のリアルタイム通信を行うＢｌｕｅｔｏｏｔｈにおける音声通信制御方法。
【発明の詳細な説明】
【０００１】
【発明の属する技術分野】
この発明は、Ｂｌｕｅｔｏｏｔｈにおける音声通信制御方法に関するものであり、特に通信中の音声品質の維持と消費電力の節減を図ったＢｌｕｅｔｏｏｔｈにおける音声通信制御方法に関するものである。
【０００２】
【発明が解決しようとする課題】
Ｂｌｕｅｔｏｏｔｈは２．４ＧＨｚ周波数帯を使用してコンピュータやコードレス電話や家電機器、或いは車載電子機器など種々の機器を無線接続して双方向通信を行うための規格であり、通信制御を行うホストとこれに１つ乃至７つのスレーブを無線接続して、パケットベースのデータ通信とリアルタイムの音声通信を行えるように構成されている。２００１年現在の仕様書Ｖｅｒ．１．１においては、下りデータ伝送速度が７２１ｋｂｐｓ、上りは５７．６ｋｂｐｓ（最大）で、これとは別に６４ｋｂｐｓの音声チャネルが３チャネル設けられている。
【０００３】
Ｂｌｕｅｔｏｏｔｈの無線通信は干渉を防止するために、１６００／ｓｅｃの周波数ホッピングを行い、したがってデータ通信における１タイムスロットは６２５μｓである。三種類の音声通信パケットモードＨＶ１，　ＨＶ２，　ＨＶ３はパケット長が２４０ｂｉｔに固定されていて、ＨＶ１パケットモードは１０ｂｙｔｅデータの各ビットを３回繰り返して送信する１／３ＦＥＣ　（Ｆｏｒｗａｒｄ　Ｅｒｒｏｒ　Ｃｏｒｒｅｃｔｉｏｎ）　と定められており、１．２５ｍｓ毎の音声を６４ｋｂｐｓで送信するので、２タイムスロット（１．２５ｍｓ　）ごとにＨＶ１パケットが送信される。ＨＶ２パケットモードは２０ｂｙｔｅデータで構成され、１０ｂｉｔデータに５　ｐａｒｉｔｙ　ｂｉｔを付加する２／３ＦＥＣ処理を行い、２．５ｍｓ毎の音声を６４ｋｂｐｓで送信するので、４タイムスロット（２．５ｍｓ　）ごとにＨＶ２パケットが送信される。ＨＶ３パケットモードは３０ｂｙｔｅデータで構成され、ＦＥＣ処理は行わず３．７５ｍｓ毎の音声を６４ｋｂｐｓで送信するので、６タイムスロット（３．７５ｍｓ　）ごとにＨＶ３パケットが送信される。
【０００４】
上記のように、ＨＶ３，　ＨＶ２，　ＨＶ１の順に通信エラー発生のおそれが低下するが、パケットの送信インターバルも比例して短くなって単位時間当たりの送信回数が増加するので、ＨＶ３，　ＨＶ２，　ＨＶ１の順に消費電力が増加することになる。
【０００５】
そこで、Ｂｌｕｅｔｏｏｔｈの音声通信において、電力消費の効率化と音声品質の維持を両立するために解決すべき技術的課題が生じてくるのであり、本発明は上記課題を解決することを目的とする。
【０００６】
【課題を解決するための手段】
この発明は、上記目的を達成するために提案するものであり、Ｂｌｕｅｔｏｏｔｈ音声通信において、受信感度検知手段により受信感度を検知し、受信感度に応じて送信側へＨＶパケットモード変更コマンドを通知し、送信側がＨＶパケットモード変更コマンドに応じてＨＶパケットモードを変更することにより、逐次受信感度に対して適切なＨＶパケットモードを選択して音声のリアルタイム通信を行うＢｌｕｅｔｏｏｔｈにおける音声通信制御方法を提供するものである。
【０００７】
【発明の実施の形態】
以下、この発明の実施の一形態を詳述する。本発明は、Ｂｌｕｅｔｏｏｔｈ音声通信の受信側で受信感度を検知し、その情報を送信側へ通知する機能を設け、適切な受信感度となる音声通信モードが選択されるようにすることで、音声品質を維持するとともに消費電力の浪費を防止する。具体的には、受信側の感度検知情報により送信側でＢｌｕｅｔｏｏｔｈに規定されている三種類の音声通信パケットモードＨＶ１，　ＨＶ２，　ＨＶ３の一つを選択して通信するように構成する。
【０００８】
例えば、図１（ａ）に示すようにＢｌｕｅｔｏｏｔｈ搭載携帯電話１とＢｌｕｅｔｏｏｔｈ搭載ヘッドセット２で通信を行う場合、先ず低消費電力であるＨＶ３パケットモードにより通信を開始し、ヘッドセット２ではＢｌｕｅｔｏｏｔｈモジュールに標準で装備されている受信感度検知機能により受信感度を検知する。このとき、Ｂｌｕｅｔｏｏｔｈ機器間の距離や電波障害物の存在、或いはＢｌｕｅｔｏｏｔｈと同一の周波数帯を使用する無線機器による干渉などによって所定の受信感度が得られない場合は、ヘッドセット２のＢｌｕｅｔｏｏｔｈモジュールがこれを検知してＨＣＩ（ホストコントローラインタフェース）を介してヘッドセットのホスト部へ転送し、ホスト部の受信感度通知手段が（ｂ）に示すようにＢｌｕｅｔｏｏｔｈモジュールを通じて携帯電話１へＡＴコマンドセットによるＨＶ２パケットモードまたは　ＨＶ１パケットモードへのＨＶパケットモード変更要求を送信する。携帯電話１のホスト部の受信感度変更手段は、ＨＶパケットモード変更要求に応じてＢｌｕｅｔｏｏｔｈモジュールの音声通信モードをＨＶ２パケットモードまたは　ＨＶ１パケットモードへ変更し、次のパケットからは変更した音声通信モードにて送信する。また、携帯電話１側の受信感度が変動した場合も、上記と同様に携帯電話１からヘッドセット２へＨＶパケットモード変更要求が送信され、ヘッドセット２のＨＶパケットモードが変更される。
【０００９】
受信感度検知はＢｌｕｅｔｏｏｔｈ通信中に逐次実行されて、受信感度の変動に対してリアルタイムに反応し、上記の例とは逆に受信感度が所定のＨＶパケットモード変更ポイントを上回ったときは、ＨＶ１パケットモードまたは　ＨＶ２パケットモードから下位のＨＶ２パケットモードまたは　ＨＶ３パケットモードへの変更が行われる。よって、電波状況に合わせて適切なＨＶパケットモードが選択されて音声品質の低下を防止し、電波状況が良好なときはより低消費電力のＨＶパケットモードに変更して電力消費を節約する。また、ＬＥＤやディスプレイにより現在のＨＶパケットモードを表示して利用者が通信状況を把握できるようにしてもよい。
【００１０】
尚、この発明は上記の実施形態に限定するものではなく、この発明の技術的範囲内において種々の改変が可能であり、この発明がそれらの改変されたものに及ぶことは当然である。
【００１１】
【発明の効果】
以上説明したように、本発明のＢｌｕｅｔｏｏｔｈにおける音声通信制御方法は、受信感度の変動に対応して適切なＨＶパケットモードを選択するので、受信感度の変動による音声品質の低下を防止できるとともに電力消費を節約できる。
【図面の簡単な説明】
【図１】（ａ）（ｂ）は、それぞれＢｌｕｅｔｏｏｔｈ音声通信制御方法の解説図。
【符号の説明】
１　　　　　　Ｂｌｕｅｔｏｏｔｈ搭載携帯電話
２　　　　　　Ｂｌｕｅｔｏｏｔｈ搭載ヘッドセット
【図１】
2004072535.tif 000003